(57)【要約】【課題】冷蔵庫の貯蔵室内の温度や冷蔵庫の消費電力などの情報を、遠隔操作により、総合的に管理すること。【解決手段】温度センサ部１０３、電力計測部１０５およびドア開き時間サンプリング回路部１０８は温度計測値情報、電力計測値情報およびドア開時間計測値情報を取得する。命令信号生成部２０４ａは冷蔵庫１００に対して提供情報を生成させる命令信号を生成する。端末側出力部２０３は命令信号を冷蔵庫１００へ送信する。冷蔵庫側入力部１１０が命令信号を受信する。提供情報生成部１０９ａは、命令信号に基づいて、温度計測値情報、電力計測値情報およびドア開時間計測値情報を用いて、提供情報を生成する。冷蔵庫側出力部１１１は提供情報を端末装置２００へ送信する。端末側入力部２０２は提供情報を受信する。端末側情報提供部２０５が、端末側入力部２０２により受信された提供情報を提供する。【選択図】      図１
2014052145.tif 000002
【特許請求の範囲】
【請求項１】
冷蔵庫と、前記冷蔵庫の動作状況を管理するための端末装置とを有する冷蔵庫管理システムであって、
前記冷蔵庫は、
食品または飲料を貯蔵するための貯蔵室と、
前記貯蔵室を開閉するドアと、
前記貯蔵室内の温度を所定時間毎に計測した結果である温度計測値情報を取得する温度センサ部と、
前記冷蔵庫の消費電力を前記所定時間毎に計測した結果である電力計測値情報を取得する電力計測部と、
前記ドアが開いていた時間であるドア開時間を前記所定時間毎に測定した結果であるドア開時間計測値情報を取得するドア開き時間サンプリング回路部と、
前記温度センサ部により取得された前記温度計測値情報、前記電力計測部により取得された前記電力計測値情報、前記ドア開き時間サンプリング回路部により取得された前記ドア開時間計測値情報に基づいて、前記端末装置へ提供するため情報である提供情報を生成する提供情報生成部と、
前記端末装置から出力される情報を受信する冷蔵庫側入力部と、
前記提供情報生成部により生成された前記提供情報を前記端末装置へ送信する冷蔵庫側出力部とを備え、
前記端末装置は、
前記冷蔵庫に対して、前記温度センサ部により取得された前記温度計測値情報、前記電力計測部により取得された電力計測値情報、および前記ドア開き時間サンプリング回路部により取得されたドア開時間計測値情報のうち、一部または全部の情報に基づいて、前記提供情報を生成させる命令信号を生成する命令信号生成部と、
前記命令信号生成部により生成された前記命令信号を前記冷蔵庫へ送信する端末側出力部と、
前記冷蔵庫側出力部により送信された前記提供情報を受信する端末側入力部と、
前記端末側入力部により受信された前記提供情報を提供する端末側情報提供部とを備え、
前記提供情報生成部は、前記端末側出力部により送信された前記命令信号に基づいて、前記提供情報を生成する冷蔵庫管理システム。
【請求項２】
冷蔵庫は、
前記ドアが前記貯蔵室を開いている間に前記貯蔵室内に光を照射する照明部と、
前記照明部に対して、点灯または消灯の制御信号を所定のサンプリング時間間隔で出力する照明制御部とを備え、
前記ドア開き時間サンプリング回路部は、照明制御部により出力された前記制御信号および前記所定のサンプリング時間間隔に基づいて、前記ドア開時間計測値情報を取得する請求項１に記載の冷蔵庫管理システム。
【請求項３】
前記冷蔵庫は、前記貯蔵室内の温度を調節する温度調節部をさらに備え、
前記端末側出力部が、前記温度計測値情報に基づいて、前記貯蔵室内の温度を所定の設定温度に調整するように指示する第１の命令信号を前記冷蔵庫へ出力したとき、
前記冷蔵庫側入力部は、前記第１の命令信号を受信し、
前記温度調節部は、前記冷蔵庫側入力部により受信された前記第１の命令信号に基づいて、前記貯蔵室内の温度を前記所定の設定温度に調節する請求項１または２に記載の冷蔵庫管理システム。
【請求項４】
前記冷蔵庫は、前記ドアを施錠または開錠し、前記ドアが施錠されている状態かまたは前記ドアが開錠されている状態かを示すドア施錠開錠設定情報を取得するロック制御部をさらに備え、
前記提供情報生成部は、前記温度センサ部により取得された前記温度計測値情報、前記電力計測部により取得された前記電力計測値情報、前記ドア開き時間サンプリング回路部により取得されたドア開時間計測値情報および前記ロック制御部により取得された前記ドア施錠開錠設定情報のうち、一部または全部の情報に基づいて、前記提供情報を生成し、
前記端末側出力部が、前記ドア施錠開錠設定情報に基づいて、前記ドアを施錠または開錠するように指示する第２の命令信号を前記冷蔵庫へ出力したとき、
前記冷蔵庫側入力部は、前記第２の命令信号を受信し、
前記ロック制御部は、前記冷蔵庫側入力部により受信された前記第２の命令信号に基づいて、前記ドアを施錠または開錠する請求項１または２に記載の冷蔵庫管理システム。
【請求項５】
前記端末側情報提供部は、前記端末側入力部により受信された前記提供情報を画像により提供する表示部を含んでいる請求項１〜４のいずれか１項に記載の冷蔵庫管理システム。
【発明の詳細な説明】
【技術分野】
【０００１】
本発明は、冷蔵庫管理システムに関し、例えば、冷蔵庫と、冷蔵庫の動作状況を管理するための端末装置とを有する冷蔵庫管理システムに関する。
【背景技術】
【０００２】
冷蔵庫の最大消費電力は、一般家庭で使用される様々な電化製品と比較して、それ程高くない。しかし、冷蔵庫の消費電力量は、例えば１年間等の長期間の電力量を積算した積算電力量で比較すると、一般家庭で使用される電化製品の中で、上位を占めている。冷蔵庫は、常に稼動することにより、冷蔵庫の貯蔵室内の温度を一定温度に保つ必要がある。このため、冷蔵庫の消費電力量は、一般家庭で使用される他の電化製品と比較して、比較的高くなってしまう。
【０００３】
なお、本発明に関連する技術が、特許文献１、特許文献２および特許文献３に開示されている。
【０００４】
特許文献１には、冷蔵庫の前方に設けられた扉が開放されている時間を計測して、この計測結果である時間を表示する機能を有する冷蔵庫が開示されている。これにより、無駄な扉の開放時間を低減し消費電力を低減できる。
【０００５】
特許文献２には、冷蔵庫の扉を開閉操作した期間と、それ以外の期間との双方で、冷蔵庫内の温度を基準温度内に設定した際の冷蔵庫の消費電力量を検出する技術が、開示されている。
【０００６】
特許文献３には、冷蔵庫に着脱可能に設けられたパネルコンピュータを用いて、冷蔵庫内に収容する食品などの保存物の状態に関する情報を遠隔で取得できる技術が開示されている。
【先行技術文献】
【特許文献】
【０００７】
【特許文献１】特開２００３−５００７８号公報
【特許文献２】特公昭６０−４２８６１号公報
【特許文献３】特開２００２−３９６７０号公報
【発明の概要】
【発明が解決しようとする課題】
【０００８】
しかしながら、特許文献１に記載の技術では、冷蔵庫の利用者は、冷蔵庫の開閉履歴の情報しか確認することができない。また、特許文献２に記載の技術では、冷蔵庫の利用者は、冷蔵庫の扉の開閉に応じた消費電力情報しか知ることができない。さらに、特許文献３に記載の技術では、パネルコンピュータを用いて遠隔で保存物の状態を取得するにすぎず、冷蔵庫の温度情報や消費電力情報については特許文献３で触れられていない。
【０００９】
このように、特許文献１、特許文献２および特許文献３に記載の技術では、冷蔵庫の貯蔵室内の温度や冷蔵庫の消費電力などの情報を、遠隔操作により、総合的に管理することができないという問題があった。
【００１０】
本発明は、このような事情に鑑みてなされたものであり、本発明の目的は、冷蔵庫の貯蔵室内の温度や冷蔵庫の消費電力などの情報を、遠隔操作により、総合的に管理することができる冷蔵庫管理システムを提供することにある。
【課題を解決するための手段】
【００１１】
本発明の冷蔵庫管理システムは、冷蔵庫と、前記冷蔵庫の動作状況を管理するための端末装置とを有する冷蔵庫管理システムであって、前記冷蔵庫は、食品または飲料を貯蔵するための貯蔵室と、前記貯蔵室を開閉するドアと、前記貯蔵室内の温度を所定時間毎に計測した結果である温度計測値情報を取得する温度センサ部と、前記冷蔵庫の消費電力を前記所定時間毎に計測した結果である電力計測値情報を取得する電力計測部と、前記ドアが開いていた時間であるドア開時間を前記所定時間毎に測定した結果であるドア開時間計測値情報を取得するドア開き時間サンプリング回路部と、前記温度センサ部により取得された前記温度計測値情報、前記電力計測部により取得された前記電力計測値情報、前記ドア開き時間サンプリング回路部により取得された前記ドア開時間計測値情報に基づいて、前記端末装置へ提供するため情報である提供情報を生成する提供情報生成部と、前記端末装置から出力される情報を受信する冷蔵庫側入力部と、前記提供情報生成部により生成された前記提供情報を前記端末装置へ送信する冷蔵庫側出力部とを備え、前記端末装置は、前記冷蔵庫に対して、前記温度センサ部により取得された前記温度計測値情報、前記電力計測部により取得された電力計測値情報、および前記ドア開き時間サンプリング回路部により取得されたドア開時間計測値情報のうち、一部または全部の情報に基づいて、前記提供情報を生成させる命令信号を生成する命令信号生成部と、前記命令信号生成部により生成された前記命令信号を前記冷蔵庫へ送信する端末側出力部と、前記冷蔵庫側出力部により送信された前記提供情報を受信する端末側入力部と、前記端末側入力部により受信された前記提供情報を提供する端末側情報提供部とを備え、前記提供情報生成部は、前記端末側出力部により送信された前記命令信号に基づいて、前記提供情報を生成する。
【発明の効果】
【００１２】
本発明にかかる冷蔵庫管理システムによれば、冷蔵庫の貯蔵室内の温度や冷蔵庫の消費電力などの情報を、遠隔操作により、時間情報とともに総合的に管理することができる。
【図面の簡単な説明】
【００１３】
【図１】本発明の実施の形態における冷蔵庫管理システムの回路構成を示す図である。
【図２】本発明の実施の形態における冷蔵庫管理システムの外観を簡略的に示す図である。
【図３】本発明の実施の形態における冷蔵庫管理システムの動作フローを示す図である。
【図４】ドア開き時間サンプリング回路部の動作を説明するための図である。
【図５】記憶演算部の情報記憶部の記憶情報の一例を示す図である。
【図６】消費電力情報のグラフ表示の一例を示す図である。
【図７】ドアの開閉履歴情報の数値表示の一例を示す図である。
【図８】消費電力情報の数値表示の一例を示す図である。
【図９】温度の数値表示の一例を示す図である。
【発明を実施するための形態】
【００１４】
本発明の実施の形態における冷蔵庫管理システム１０００について、図に基づいて説明する。
【００１５】
図１は、本発明の実施の形態における冷蔵庫管理システム１０００の構成を示す。図２は、冷蔵庫管理システム１０００の外観を簡略的に示す。
【００１６】
まず、図２を用いて、冷蔵庫管理システム１０００の外観の構成を説明する。図２に示されるように、冷蔵庫管理システム１０００は、冷蔵庫１００と、端末装置２００とを含んで構成されている。
【００１７】
冷蔵庫１００は、貯蔵室１０１と、ドア１０２を有している。冷蔵庫１００は、端末装置２００との間でデータ通信する。貯蔵室１０１は、食品や飲料を貯蔵するための部屋である。この貯蔵室１０１は、冷蔵室、冷凍室、チルド室またはパーシャル室、或いはこれらの組み合わせである。ここで、冷蔵室は、例えば、サラダや惣菜などの残り物、デザート類などすぐ食べるものや凍らせたくないものを保存するのに適した部屋である。冷蔵室の室内は、例えば、約３〜５℃に設定される。冷凍室は、例えば、冷凍食材やアイスクリームなどの長期保存が可能な食材を保存するのに適した部屋である。冷凍室は、例えば、約−１８℃に設定され、チルド室は、例えば、肉や魚、ヨーグルトや生クリームなどの乳製品、かまぼこなどの練り製品、漬物などを保存するのに適した部屋である。チルド室の室内は、冷蔵室より低く、約0℃前後の温度に設定される。パーシャル室は、例えば、食材がわずかに凍る微凍結の状態で、肉や魚、ハムなどの加工食材などを保存するのに適している。パーシャル室の室内は、例えば、約−３℃に設定される。なお、図２では、２つの貯蔵室１０１が冷蔵庫１００に設けられている。これに対して、１つの貯蔵室１０１または３以上の貯蔵室１０１が設けられてもよい。
【００１８】
ドア１２０は、貯蔵室１０１を開閉する。図２に示されるように、例えば、ドア１０２は、冷蔵庫１００の前面側に設けられている。ドア１０２を閉じると、貯蔵室１０１は密閉される。
【００１９】
端末装置２００は、冷蔵庫１００の動作情報を管理するための装置である。図２に示されるように、端末装置２００は、表示部２０１を有している。端末装置２００は、冷蔵庫１００との間でデータ通信する。
【００２０】
次に、冷蔵庫１００および端末装置２００の具体的な回路構成について、図１を用いて説明する。
【００２１】
まず、冷蔵庫１００の回路構成を図１に基づいて具体的に説明する。
【００２２】
図１に示されるように、冷蔵庫１００は、時刻通知部１０３と、温度センサ部１０４と、電力計測部１０５と、照明部１０６と、照明制御部１０７と、ドア開き時間サンプリング回路部１０８と、記憶演算部１０９と、冷蔵庫側入力部１１０と、冷蔵庫側出力部１１１と、温度調節部１１２と、ロック制御部１１３とを含んで構成される。
【００２３】
時刻通知部１０３は、現在の時刻を管理し、これを記憶演算部１０９へ出力する。
【００２４】
温度センサ部１０４は、貯蔵室１０１内の温度を所定時間毎に計測した結果である温度計測値情報を取得し、これを記憶演算部１０９へ出力する。
【００２５】
電力計測部１０５は、冷蔵庫１００の消費電力を所定時間毎に計測した結果である電力計測値情報を取得し、これを記憶演算部１０９へ出力する。
【００２６】
照明部１０６は、ドア１０２が貯蔵室１０１を開いている間に貯蔵室１０１内に光を照射する。
【００２７】
照明制御部１０７は、照明部１０６の点灯または消灯を制御する。具体的には、照明制御部１０７は、照明部１０６に対して、点灯または消灯の制御信号を所定のサンプリング時間間隔で出力する。
【００２８】
ドア開き時間サンプリング回路部１０８は、ドア１０２が開いていた時間であるドア開時間を所定時間毎に測定した結果であるドア開時間計測値情報を取得する。具体的には、ドア開き時間サンプリング回路部１０８は、照明制御部１０７により出力された制御信号および所定のサンプリング時間間隔に基づいて、ドア開時間計測値情報を取得する。また、ドア開き時間サンプリング回路部１０８は、照明制御部１０７により出力された制御信号（すなわち、照明部１０６の点灯または消灯の制御信号）を用いて、ドア１０２が開いていた時間と、ドア１０２の開閉を示すタイミングを計測して、これらの計測値を記憶演算部１０９へ出力する。
【００２９】
記憶演算部１０９は、冷蔵庫１００内の各回路を制御し、各回路の処理情報等を記憶する。図１に示されるように、記憶演算部１０９は、提供情報生成部１０９ａと、情報記憶部１０９ｂとを有する。
【００３０】
提供情報生成部１０９ａは、温度センサ部１０４により取得された温度計測値情報や、電力計測部１０５により取得された電力計測値情報や、ドア開き時間サンプリング回路部１０８により取得されたドア開時間計測値情報などに基づいて、端末装置２００へ提供するための情報である提供情報を生成し、生成された提供情報を冷蔵庫出力部１１１へ出力する。
【００３１】
なお、提供情報生成部１０９ａは、例えば、端末装置２００から冷蔵庫入力部１１０に入力される温度設定情報（貯蔵室１０１内の温度の設定に関する情報）や、実際の温度表示要求（貯蔵室１０１内の温度を端末装置２００の表示部２０１に表示させるための要求）や、任意の期間または任意の間隔の温度履歴情報（貯蔵室１０１内の温度の経時変化の履歴に関する情報）や、任意の期間または任意の間隔の消費電力履歴情報（冷蔵庫１００の消費電力の経時変化の履歴に関する情報）や、任意の期間または任意の間隔のドア開閉履歴情報（ドア１０２の開閉を経時変化の履歴に関する情報）や、ドア１０２の施錠または開錠の設定情報（ドア１０２の施錠または開錠の設定に関する情報）や、ドア１０２の施錠または開錠の表示要求（ドア１０２の施錠または開錠の状態を端末装置２００の表示部２０１に表示させるための要求）や、ロック制御部１１３により入力されるドア１０２の施錠または開錠の情報（ロック制御部１１３の制御によって行われたドアを施錠または開錠の状態に関する情報）や、冷蔵庫１００の貯蔵室１０１内の設定温度と実際の温度や、冷蔵庫１００の消費電力などの各種情報間の関係を演算することもできる。また、提供情報生成部１０９ａは、上述した各種情報間の関係の演算結果を、冷蔵庫側出力部１１１へ出力することもできる。
【００３２】
情報記憶部１０９ｂは、各回路の処理情報等を記憶する。情報記憶部１０９ｂは、例えば、ドア開き時間サンプリング回路部１０８により計測した計測値や、温度センサ部１０４により計測された温度計測値や、電力計測部１０５により計測された電力計測値や、時刻通知部１０３で管理している時刻などの情報を、記憶することができる。
【００３３】
冷蔵庫側入力部１１０は、端末装置２００から出力される情報を受信し、これを記憶演算部１０９へ出力する。冷蔵庫側入力部１１０は、例えば、端末装置２００から冷蔵庫入力部１１０に入力される温度設定情報や、実際の温度表示要求や、任意の期間または任意の間隔の温度履歴情報や、任意の期間または任意の間隔の消費電力履歴情報や、任意の期間または任意の間隔のドア開閉履歴情報や、ドア１０２の施錠または開錠の設定情報や、ドア１０２の施錠または開錠の表示要求などを、記憶演算部１０９へ出力することができる。また、冷蔵庫側入力部１１０は、端末装置２００から冷蔵庫入力部１１０に入力される温度設定情報を、温度調節部１１２へ出力することもできる。さらに、冷蔵庫側入力部１１０は、ドア１０２の施錠または開錠の情報を、ロック制御部１１３へ出力することもできる。
【００３４】
冷蔵庫側出力部１１１は、冷蔵庫１００内で処理された各種情報を端末装置２００へ送信する。より具体的には、冷蔵庫側出力部１１１は、提供情報生成部１０９ａにより生成された提供情報を端末装置２００へ送信する。
【００３５】
温度調節部１１２は、貯蔵室１０１内の温度を調節する。より具体的には、温度調節部１１２は、冷蔵庫側入力部１１０により受信された命令信号（ここでは第１の命令信号とする）に基づいて、貯蔵室１０１内の温度を所定の設定温度に調節する。端末装置２００側で、後述の端末側出力部２０３が、温度計測値情報に基づいて、貯蔵室１０１内の温度を所定の設定温度に調整するように指示する命令信号（第１の命令信号）を冷蔵庫１００へ出力したときに、冷蔵庫１００側で、冷蔵庫側入力部１１０は、第１の命令信号を受信する。なお、温度計測値情報は、前述の通り、貯蔵室１０１内の温度を所定時間毎に計測した結果であり、温度センサ部１０４により取得される情報である。
【００３６】
ロック制御部１１３は、ドア１０２を施錠または開錠する。また、ロック制御部１１３は、ドア１０２が施錠されている状態かまたは前記ドアが開錠されている状態かを示すドア施錠開錠設定情報を取得し、この情報を記憶演算部１０９へ出力する。なお、端末装置２００では、端末側出力部２０３が、上述のドア施錠開錠設定情報に基づいて、ドア１０２を施錠または開錠するように指示する命令信号（第２の命令信号）を冷蔵庫１００へ出力したとき、冷蔵庫側入力部１１０は、第２の命令信号を受信する。そして、ロック制御部１１３は、冷蔵庫側入力部１１０により受信された第２の命令信号に基づいて、ドア１０２を施錠または開錠する。このとき、後述の命令信号生成部２０４ａは、冷蔵庫１００に対して、温度センサ部１０４により取得された温度計測値情報、電力計測部１０５により取得された電力計測値情報、ドア開き時間サンプリング回路部１０８により取得されたドア開時間計測値情報およびロック制御部１１３により取得されたドア施錠開錠設定情報のうち、一部または全部の情報に基づいて、提供情報を生成させる命令信号を生成している。
【００３７】
以上、冷蔵庫１００の構成について説明した。
【００３８】
次に、端末装置２００の構成を図１に基づいて具体的に説明する。
【００３９】
図１に示されるように、端末装置２００は、表示部２０１と、端末側入力部２０２と、端末側出力部２０３と、制御部２０４、端末側情報提供部２０５とを含んで構成される。
【００４０】
端末側入力部２０２は、冷蔵庫１００の冷蔵庫側出力部１１１により送信された提供情報などの情報を受信する。
【００４１】
端末側出力部２０３は、後述の命令信号生成部２０４ａにより生成された命令信号を冷蔵庫１００へ送信する。
【００４２】
制御部２０４は、端末装置２００内の各回路を制御する。すなわち、端末装置２００内の各回路は、制御部２０４の制御の下で、動作する。
【００４３】
制御部２０４は、命令信号生成部２０４ａと、情報記憶部２０４ｂとを含んで構成されている。
【００４４】
命令信号生成部２０４ａは、冷蔵庫１００に対して、温度センサ部１０４により取得された温度計測値情報、電力計測部１０５により取得された電力計測値情報、ドア開き時間サンプリング回路部１０８により取得されたドア開時間計測値情報、およびロック制御部１１３により取得されたドア施錠開錠設定情報のうち、一部または全部の情報に基づいて、提供情報を生成させる命令信号を生成する。
【００４５】
情報記憶部２０４ｂは、各回路の処理情報等を記憶する。
【００４６】
端末側情報提供部２０５は、端末側入力部２０２により受信された提供情報を提供する。なお、表示部２０１は、端末側情報提供部２０５に含まれている。従って、表示部２０１は、本発明の端末側情報提供部に対応する。表示部２０１は、端末側入力部２０２により受信された提供情報を画像によって表示提供する。端末側情報提供部２０５は、表示部２０１の他に、スピーカなどを有してもよい。この場合、端末側情報提供部２０５は、端末側入力部２０３により受信された提供情報を音声によって提供する。
【００４７】
以上、端末装置２００の構成について説明した。
【００４８】
次に、本発明の実施の形態における冷蔵庫管理システム１０００の動作について説明する。図３は、冷蔵庫管理システム１０００の動作フローを示す図である。
【００４９】
まず、冷蔵庫１００側では、温度センサ部１０４、電力計測部１０５およびドア開き時間サンプリング回路部１０８の各々が、温度計測値情報、電力計測値情報およびドア開き時間計測値情報を取得し、記憶演算部１０９へ出力する（ステップ（以下、ステップをＳと証する）１１）。
【００５０】
すなわち、温度センサ部１０４は、貯蔵室１０１内の温度を所定時間毎に計測した結果である温度計測値情報を取得し、これを記憶演算部１０９へ出力する。
【００５１】
また、電力計測部１０５は、冷蔵庫１００の消費電力を所定時間毎に計測した結果である電力計測値情報を取得し、これを記憶演算部１０９へ出力する。
【００５２】
ドア開き時間サンプリング回路部１０８は、ドア１０２が開いていた時間であるドア開時間を所定時間毎に測定した結果であるドア開時間計測値情報を取得する。
【００５３】
すなわち、ドア開き時間サンプリング回路部１０８は、照明制御部１０７により出力された制御信号および所定のサンプリング時間間隔に基づいて、ドア開時間計測値情報を取得する。また、ドア開き時間サンプリング回路部１０８は、照明制御部１０７により出力された制御信号（すなわち、照明部１０６の点灯または消灯の制御信号）を用いて、ドア１０２が開いていた時間と、ドア１０２の開閉を示すタイミングを計測して、これらの計測値を記憶演算部１０９へ出力する。
【００５４】
ここで、ドア開き時間サンプリング回路部１０８の動作について、具体例を用いて説明する。図４は、ドア開き時間サンプリング回路部１０８の動作を説明するための図である。
【００５５】
図４に示されるように、照明制御部１０７は、ドア１０２の開閉に応じた制御信号として、照明部１０６の点灯または消灯の制御信号を出力する。
【００５６】
ここでは、ドア１０２が開いている状態には、照明制御部１０７は「Ｈｉｇｈ」の制御信号を出力するものとする。図４では、「開閉を示す電気レベル信号」が「Ｈｉｇｈ＝開」となっている部分が、この信号に対応する。照明部１０６は、この「Ｈｉｇｈ」の制御信号の期間のみ、貯蔵室１０１内に光を照射する。このように、ドア１０２が開いている状態においては、照明部１０６が貯蔵室１０１内で点灯される。
【００５７】
一方、ドア１０２が閉じている状態には、照明制御部１０７は「Ｌｏｗ」の制御信号を出力するものとする。図４では、「開閉を示す電気レベル信号」が「Ｌｏｗ＝閉」となっている部分が、この信号に対応する。照明部１０６は、この「Ｌｏｗ」の制御信号の期間、貯蔵室１０１内を照らさない。このように、ドア１０２が閉じている状態においては、照明部１０６は貯蔵室１０１内で消灯される。
【００５８】
また、図４に示されるように、ドア開き時間サンプリング回路部１０８は、照明制御部１０７により出力された電気レベル信号が「Ｌｏｗ」から「Ｈｉｇｈ」となる信号立ち上がり部を検出し、電気レベル信号が「Ｈｉｇｈ」である期間を任意のサンプリング間隔ｎでサンプリングする。これにより、ドア開き時間サンプリング回路部１０８は、ドア１０２が開いている期間を計測できる。また、ドア開き時間サンプリング回路部１０８は、さらに電気レベル信号が「Ｈｉｇｈ」から「Ｌｏｗ」となる信号立下り部を検出する。このように、ドア開き時間サンプリング回路部１０８は、ドア１０２が開いていた時間（電気レベル信号が「Ｈｉｇｈ」である時間）であるドア開時間を所定時間毎に測定した結果であるドア開時間計測値情報等を取得し、これらの計測値を記憶演算部１０９へ出力する。
【００５９】
記憶演算部１０９の情報記憶部１０９ｂは、温度センサ部１０３、電力計測部１０５およびドア開き時間サンプリング回路部１０８により入力された各計測値データ等を、随時、記憶する。
【００６０】
図５は、記憶演算部１０９の情報記憶部１０９ｂの記憶情報の一例を示す図である。
【００６１】
図５に示されるように、情報記憶部１０９ｂに記憶される各種情報は、例えば（１）時刻通知部１０３で管理している時刻と、（２）ドア開き時間サンプリング回路部１０８の計測値と、（３）ドア開き時間サンプリング回路部１０８で検出され、ドアが開いたことを示すタイミング情報、（４）ドア開き時間サンプリング回路部１０８で検出され、ドアが閉じたことを示すタイミング情報、（５）温度センサ部１０４の温度計測値、（６）電力計測部１０５の電力測定値などである。そして、情報記憶部１０９ｂは、これら（１）〜（６）の各情報は任意の間隔ｔ（所定の時間）で記憶する。
【００６２】
端末装置２００側では、命令信号生成部２０４ａが、冷蔵庫１００に対して、提供情報を生成させる命令信号を生成する（Ｓ２１）。この命令信号は、制御部２０４により、端末側出力部２０３へ出力される。
【００６３】
端末側出力部２０３は、命令信号生成部２０４ａにより生成された命令信号を冷蔵庫１００へ送信する（Ｓ２２）。
【００６４】
これに対して、冷蔵庫１００側では、冷蔵庫側入力部１１０が、端末装置２００により送信された命令信号を受信する（Ｓ１２）。
【００６５】
次に、冷蔵庫側入力部１１０は、温度調節部１１２に対する指示が命令信号中に含まれるか否かを判断する（Ｓ１３）。具体的には、冷蔵庫側入力部１１０は、温度計測値情報に基づいて、貯蔵室１０１内の温度を所定の設定温度に調整するように指示することが命令信号に含まれるか否かを判断する。なお、このときの命令信号は、本発明の第１の命令信号に対応する。
【００６６】
温度調節部１１２に対する指示が命令信号中に含まれると判断された場合（Ｓ１３、Ｙｅｓ）、冷蔵庫側入力部１１０は当該指示を温度調節部１１２へ出力する。これにより、温度調節部１１２が、命令信号に含まれる設定温度に貯蔵室１０１内の温度を調節する（Ｓ１４）。
【００６７】
一方、温度調節部１１２に対する指示することが命令信号に含まれないと判断された場合（Ｓ１３、Ｎｏ）、冷蔵庫１００は、Ｓ１４の処理を行わず、次のＳ１５の処理を行う。
【００６８】
次に、冷蔵庫側入力部１１０は、ロック制御部１１３に対する指示が命令信号中に含まれるか否かを判断する（Ｓ１５）。具体的には、冷蔵庫側入力部１１０は、ドア施錠開錠設定情報に基づいて、ドア１０２を施錠または開錠するようにロック制御部１１３に指示することが命令信号に含まれるか否かを判断する。なお、このときの命令信号は、本発明の第２の命令信号に対応する。
【００６９】
ロック制御部１１３に対する指示が命令信号中に含まれると判断された場合（Ｓ１５、Ｙｅｓ）、ロック制御部１１３は、命令信号に含まれる指示に従って、ドア１０２を施錠または開錠する。そして、ロック制御部１１３は、ドア施錠開錠設定情報を取得する（Ｓ１６）。なお、ドア施錠開錠設定情報とは、前述の通り、ドア１０２が施錠されている状態かまたはドア１０２が開錠されている状態かを示す情報である。
【００７０】
一方、ロック制御部１１３に対する指示が命令信号中に含まれないと判断された場合（Ｓ１５、Ｎｏ）、冷蔵庫１００は、Ｓ１６の処理を行わず、次のＳ１７の処理を行う。
【００７１】
次に、提供情報生成部１０９ａが、温度センサ部１０４により取得された温度計測値情報や、電力計測部１０５により取得された電力計測値情報や、ドア開き時間サンプリング回路部１０８により取得されたドア開時間計測値情報や、ドア施錠開錠設定情報などに基づいて、端末装置２００へ提供するため情報である提供情報を生成する（Ｓ１７）。このとき、提供情報生成部１０９ａは、情報記憶部１０９ｂに記憶された各種情報も用いて、提供情報を生成する。そして、提供情報生成部１０９ａは、提供情報を冷蔵庫出力部１１１へ出力する。
【００７２】
提供情報は、例えば、端末装置２００から冷蔵庫入力部１１０に入力される温度設定情報と実際の温度や、任意の期間または任意の間隔の温度履歴情報や、任意の期間または任意の間隔の消費電力履歴情報や、任意の期間または任意の間隔のドア開閉履歴情報や、ドア１０２の施錠または開錠の有無などである。なお、提供情報の提供方法は、数値表示する例と、グラフ表示する例などを選択することができる。以下に、提供情報の提供例を説明する。
【００７３】
図６〜図９は、提供情報の提供例を説明するための図である。
【００７４】
まず、図６は、消費電力情報のグラフ表示の一例を示す図である。
【００７５】
図６に示されるように、命令信号に含まれる情報として、消費電力情報を１日単位（間隔）で１週間分（期間）をグラフ表示する指示が、端末装置２００から入力された場合を想定する。
【００７６】
この場合、提供情報生成部１０９ａは、（１）時刻通知部１０３で管理している時刻と、（２）電力計測部１０５の電力計測値とを用いて、提供情報を生成する。図６には、例示として、７日目までの電力値をグラフ化したデータを提供情報として示している。
【００７７】
次に、図７は、ドアの開閉履歴情報の数値表示の一例を示す図である。
【００７８】
図７に示されるように、命令信号に含まれる情報として、ドア１０２の開閉履歴情報を１回の開閉（間隔）で１回分（期間）を数値表示する指示が、端末装置２００から入力された場合を想定する。
【００７９】
この場合、提供情報生成部１０９ａは、（１）時刻通知部１０３で管理している時刻と、（２）ドア開き時間サンプリング回路部１０８の計測値と、（３）ドア開き時間サンプリング回路部１０８で検出され、ドアが開いたことを示すタイミング情報と、（４）ドア開き時間サンプリング回路部１０８で検出され、ドアが閉じたことを示すタイミング情報とを、用いて、演算し数値化して、提供情報を生成する。
【００８０】
ここでは、図４に示したサンプリング間隔ｎを０．１秒、図５の（７）に示す任意の間隔（本発明の所定の時間に対応）ｔを１秒とした場合を、図７に例示している。このとき、（３）ドア開き時間サンプリング回路部１０８で検出され、ドアが開いたことを示すタイミング情報と、（４）ドア開き時間サンプリング回路部１０８で検出され、ドアが閉じたことを示すタイミング情報との間において、ドア開き時間サンプリング回路部１０８の計測値の総和が、２７となる。したがって、図７に示されるように、ドア１０２が２７秒間、開いていたことを示す提供情報を生成される。
【００８１】
次に、図８は、消費電力情報の数値表示の一例を示す図である。
【００８２】
図８に示されるように、命令信号に含まれる情報として、消費電力情報を１ヶ月単位（間隔）で半年分（期間）を数値表示する指示が、端末装置２００から入力された場合を想定する。
【００８３】
この場合、提供情報生成部１０９ａは、（１）時刻通知部１０３で管理している時刻と、（２）電力計測部１０５の電力計測値とを用いて演算し数値化し、提供情報を生成する。図８には、例示として、１ヶ月目、２ヶ月目、・・・、６ヶ月目までの電力値の数値データを提供情報として示している。
【００８４】
次に、図９は、温度の数値表示の一例を示す図である。
【００８５】
図９に示されるように、命令信号に含まれる情報として、温度設定情報と実際の温度を数値表示する指示が、端末装置２００から入力された場合を想定する。
【００８６】
この場合、提供情報生成部１０９ａは、（１）冷蔵庫側入力部１１０から入力された温度設定情報と、（２）温度センサ部１０４の計測値とを用いて数値化し、提供情報を生成する。図９には、例示として、現在の設定温度８．５℃と、現在の室内温度８．０℃とを、提供情報として示している。
【００８７】
このように、提供情報生成部１０９ｂは、提供情報として、冷蔵庫１００の貯蔵室１０１内の設定温度に対する実際の温度、それらとの消費電力との関係などを数値やグラフにて提供する情報を生成することができる。
【００８８】
次に、図３に戻って、冷蔵庫側出力部１１１が、提供情報生成部１０９ａにより生成された提供情報を、端末装置２００へ送信する（Ｓ１８）。
【００８９】
端末装置２００側では、端末側入力部２０２が、提供情報を受信する（Ｓ１９）。そして、端末側入力部２０２は、提供情報を制御部２０４へ出力する。制御部２０４は、提供情報提供部２０５に対して、提供情報を表示等により利用者に提供させる命令を出力する。
【００９０】
端末側情報提供部２０５は、制御部２０４の命令に従って、提供情報生成部１０９ａにより生成された提供情報を、利用者へ提供する（Ｓ２０）。例えば、端末側情報提供部２０５の表示部２０１は、提供情報を表示することで、利用者へ提供情報を知らせる。
【００９１】
このように、表示部２０１を含む端末側情報提供部２０３が、提供情報を利用者に対して、例えば冷蔵庫１００の貯蔵室１０１内の設定温度に対する実際の温度、それらとの消費電力との関係などを数値やグラフにて表示等することによりで提供するので、利用者は提供情報を介して冷蔵庫１００の各状態を認識することができる。これにより、利用者は、より効率的な冷蔵庫１００の運転を行わせるための設定などに、提供情報をフィードバックすることができる。
【００９２】
以上、本発明の実施の形態における冷蔵庫管理システム１０００の動作について、説明した。
【００９３】
以上の通り、本発明の実施の形態における冷蔵庫管理システム１０００は、冷蔵庫１００と、冷蔵庫１００の動作状況を管理するための端末装置２００とを有する。
【００９４】
冷蔵庫１００は、貯蔵室１０１と、ドア１０２と、温度センサ部１０３と、電力計測部１０５と、ドア開き時間サンプリング回路部１０８と、提供情報生成部１０９ａと、冷蔵庫側入力部１１０と、冷蔵庫側出力部１１１とを有している。
【００９５】
貯蔵室１０１は、食品または飲料を貯蔵するためのものである。ドア１０２は、貯蔵室１０１を開閉する。温度センサ部１０３は、貯蔵室１０１内の温度を所定時間毎に計測した結果である温度計測値情報を取得する。電力計測部１０５は、冷蔵庫１００の消費電力を所定時間毎に計測した結果である電力計測値情報を取得する。ドア開き時間サンプリング回路部１０８は、ドア１０２が開いていた時間であるドア開時間を所定時間毎に測定した結果であるドア開時間計測値情報を取得する。提供情報生成部１０９ａは、温度センサ部１０３により取得された温度計測値情報、電力計測部１０５により取得された電力計測値情報、およびドア開き時間サンプリング回路部１０８により取得されたドア開時間計測値情報に基づいて、端末装置２００へ提供するため情報である提供情報を生成する。冷蔵庫側入力部１１０は、端末装置２００から出力される情報を受信する。冷蔵庫側出力部１１１は、提供情報生成部２０５により生成された提供情報を端末装置２００へ送信する。
【００９６】
端末装置２００は、命令信号生成部２０４ａと、端末側出力部２０３と、端末側入力部２０２と、端末側情報提供部２０５とを有している。
【００９７】
命令信号生成部２０４ａは、冷蔵庫１００に対して、温度センサ部１０３により取得された温度計測値情報、電力計測部１０５により取得された電力計測値情報、およびドア開き時間サンプリング回路部１０８により取得されたドア開時間計測値情報のうち、一部または全部の情報に基づいて、提供情報を生成させる命令信号を生成する。端末側出力部２０３は、命令信号生成部２０４ａにより生成された命令信号を冷蔵庫１００へ送信する。端末側入力部２０２は、冷蔵庫側出力部１１１により送信された提供情報を受信する。端末側情報提供部２０５は、端末側入力部２０２により受信された提供情報を提供する。
【００９８】
そして、提供情報生成部１０９ａは、端末側出力部２０２により送信された命令信号に基づいて、提供情報を生成する。
【００９９】
このように、冷蔵庫１００では、温度センサ部１０３、電力計測部１０５およびドア開き時間サンプリング回路部１０８の各々は、温度計測値情報、電力計測値情報およびドア開時間計測値情報を取得する。これにより、冷蔵庫１００は、当該冷蔵庫１００の管理対象である各種情報を取得できる。
【０１００】
端末装置２００では、命令信号生成部２０４ａが、冷蔵庫１００に対して、温度計測値情報、電力計測値情報およびドア開時間計測値情報のうち、一部または全部の情報に基づいて、提供情報を生成させる命令信号を生成する。そして、端末側出力部２０３は、命令信号生成部２０４ａにより生成された命令信号を冷蔵庫１００へ送信する。これにより、提供情報を生成させる命令信号が端末装置２００から冷蔵庫１００へ入力される。
【０１０１】
冷蔵庫１００では、冷蔵庫側入力部１１０が、端末装置２００から出力される命令信号を受信する。そして、提供情報生成部１０９ａは、端末側出力部２０２により送信された命令信号に基づいて、温度計測値情報、電力計測値情報およびドア開時間計測値情報を用いて、提供情報を生成する。これにより、冷蔵庫１００は、端末装置２００から送信される命令信号に沿った提供情報を生成できる。
【０１０２】
また、冷蔵庫１００では、冷蔵庫側出力部１１１が、提供情報生成部２０５により生成された提供情報を端末装置２００へ送信する。さらに、端末装置２００では、端末側入力部２０２が、冷蔵庫側出力部１１１により送信された提供情報を受信する。これにより、端末装置２００は、命令信号に対応する提供情報を取得できる。そして、端末装置２００では、端末側情報提供部２０５が、端末側入力部２０２により受信された提供情報を提供する。これにより、端末装置２００は、当該冷蔵庫１００が管理する各種情報またはこれらの組み合わせ情報を、端末装置２００から送信される命令信号に従って、提供情報として取得し、これを利用者へ提供することができる。
【０１０３】
このように本発明の実施の形態における冷蔵庫管理システム１０００によれば、冷蔵庫の貯蔵室内の温度や冷蔵庫の消費電力などの情報を、遠隔操作により、総合的に管理することができる。このとき、温度センサ部１０３、電力計測部１０５およびドア開き時間サンプリング回路部１０８の各々は、所定時間毎に計測して、温度計測値情報、電力計測値情報およびドア開時間計測値情報を取得する。したがって、冷蔵庫管理システム１０００は、冷蔵庫の貯蔵室内の温度や冷蔵庫の消費電力などの情報を、遠隔操作により、時間管理とともに総合的に管理することができる。より具体的には、冷蔵庫管理システム１０００によれば、例えば、温度設定情報と実際の温度や、任意の時間または任意の間隔の温度情報や、任意の期間または任意の間隔の消費電力情報や、任意の期間または任意の間隔のドアの開閉履歴情報を、端末装置２００の命令信号による要求に応じた形に加工し、数値またはグラフにして、確認または認識することができる。また、数値またはグラフにて確認または認識される情報に基づいて、より効率的な設定へ変更することで、省エネルギーを実現することができる。さらに、効率的な設定変更によりもたらされる、実際の温度情報や、消費電力情報を、端末装置２００の命令信号による要求に応じた形に加工し、数値またはグラフにして、確認または認識することができる。
【０１０４】
また、これらの動作処理を冷蔵庫１００の設置箇所に加えて、遠隔地でも実施することができる。本発明の関連する一般的な技術では、設定温度やドア１０２の開閉頻度と消費電力の関係が、利用者にとって知る手段が極めて限定的であった。これに対して、本発明の構成を用いることで、利用者に対して可視化した数値やグラフによる情報を提供することができる。この結果、より効率的な冷蔵庫１００の運転を行うための設定値に、貯蔵室１０１内の温度や冷蔵庫１００の消費電力値等の各計測値をフィードバックすることができる。さらに、本発明では、冷蔵庫１００の運転履歴情報を数値化またはグラフ化するので、効率的な運転を行うように、その動機を利用者に対して促す効果も奏する。
【０１０５】
また、本発明の実施の形態における冷蔵庫管理システム１０００において、冷蔵庫１００は、照明部１０６と、照明制御部１０７とを備えている。照明部１０６は、貯蔵室１０１を開いている間に貯蔵室１０１内に光を照射する。これにより、冷蔵庫１００のドア１０２が開いている間は貯蔵室１０１内が明るくなるため、冷蔵庫１００の利用者は貯蔵室１０１内の野菜や飲料等を目で確認することができる。また、照明制御部１０７は、照明部１０６に対して、点灯または消灯の制御信号を所定のサンプリング時間間隔で出力する。そして、ドア開き時間サンプリング回路部１０８は、照明制御部１０７により出力された制御信号および所定のサンプリング時間間隔に基づいて、ドア開時間計測値情報を取得する。このように、サンプリング時間間隔を用いて、ドア１０２が開いている時間を簡単に計測することができる。
【０１０６】
また、本発明の実施の形態における冷蔵庫管理システム１０００において、冷蔵庫１００は、温度調節部１１２をさらに備える。この温度調節部１１２は、貯蔵室１０１内の温度を調節する。これにより、貯蔵室１０１内の温度を温度調節部１１２により制御することができる。そして、端末側出力部２０３が、温度計測値情報に基づいて、貯蔵室１０１内の温度を所定の設定温度に調整するように指示する第１の命令信号を冷蔵庫１００へ出力したとき、冷蔵庫側入力部１１０は、第１の命令信号を受信し、温度調節部１１２は、冷蔵庫側入力部１１０により受信された第１の命令信号に基づいて、貯蔵室１０１内の温度を所定の設定温度に調節する。これにより、冷蔵庫１００の利用者は、遠隔から端末装置２００を用いて、貯蔵室１０１内の温度を所定の設定温度に調節するように指示することができる。
【０１０７】
また、本発明の実施の形態における冷蔵庫管理システム１０００において、冷蔵庫１００は、ロック制御部１１３をさらに備えている。このロック制御部１１３は、ドア１０２を施錠または開錠する。ドア１０２を施錠または開錠することにより、子供や、判断力のない老人や、ペットが勝手にドア１０２を開けたりすることができないように設定できる。また、ロック制御部１１３は、ドア１０２が施錠されている状態かまたはドア１０２が開錠されている状態かを示すドア施錠開錠設定情報を取得する。これにより、冷蔵庫１００は、ドア１０２の施錠または開錠の状態を認識できる。提供情報生成部１０９ａは、温度センサ部１０３により取得された温度計測値情報、電力計測部１０５により取得された電力計測値情報、ドア開き時間サンプリング回路部１０８により取得されたドア開時間計測値情報およびロック制御部１１３により取得されたドア施錠開錠設定情報のうち、一部または全部の情報に基づいて、提供情報を生成する。これにより、冷蔵庫１００は、冷蔵庫１００の管理対象情報として、ドア１０２の施錠または開錠の状態との関係も含めた提供情報を生成することができる。そして、端末側出力部２０３が、ドア施錠開錠設定情報に基づいて、ドア１０２を施錠または開錠するように指示する第２の命令信号を冷蔵庫１００へ出力したとき、冷蔵庫側入力部１１０は、第２の命令信号を受信し、ロック制御部１１３は、冷蔵庫側入力部１１０により受信された第２の命令信号に基づいて、ドア１０２を施錠または開錠する。これにより、冷蔵庫１００の利用者は、遠隔から端末装置２００を用いて、ドア１０２の施錠または開錠するように指示することができる。
【０１０８】
また、より具体的には、冷蔵庫管理システム１０００によれば、例えば、温度設定情報と実際の温度や、任意の時間または任意の間隔の温度情報や、任意の期間または任意の間隔の消費電力情報や、任意の期間または任意の間隔のドア１０２の開閉履歴情報に加え、ドア１０２の開閉履歴情報や、ドア１０２の施錠または開錠情報を、端末装置２００の命令信号による要求に応じた形に加工し、数値またはグラフにして、確認または認識することができる。また、数値またはグラフにて確認または認識される情報に基づいて、より効率的な設定へ変更することで、省エネルギーを実現することができる。さらに、効率的な設定変更によりもたらされる、実際の温度情報や、消費電力情報に加え、ドア１０２の開閉履歴情報や、ドア１０２の施錠または開錠情報を、端末装置２００の命令信号による要求に応じた形に加工し、数値またはグラフにして、確認または認識することができる。また、不本意なドア１０２の開閉を避けたいときに施錠することができる。また、ドア１０２の開閉が必要なときに、開錠することができる。さらに、ドア１０２の施錠または開錠情報（ドア施錠開錠設定情報）を確認、認識することができる。また、これらの動作処理を冷蔵庫１００の設置箇所に加えて、遠隔地でも実施することができる。
【０１０９】
本発明の実施の形態における冷蔵庫管理システム１０００において、端末側情報提供部１０９ａは、端末側入力部２０２により受信された提供情報を画像により提供する表示部２０１を含んでいる。これにより、冷蔵庫１００の利用者は、端末装置１００の表示部２０１で、提供情報の内容を目視により確認することができる。
【０１１０】
上記実施の形態の説明では、冷蔵庫１００には、貯蔵室１０１が設けられると説明した。この貯蔵室１０１は、前述したように、冷蔵室や、チルド室や、冷蔵室や、パーシャル室であってもよい。また、冷蔵庫１００には複数の貯蔵室１０１が設けられてもよい。この場合は、例えば、冷蔵室と冷凍室の組み合わせを冷蔵庫１００に設けることができる。また、冷蔵庫１００は、家庭用のものに限らず、業務用のものであってもよく、冷蔵倉庫や冷蔵車両のように大きな構造物で構成してもよい。このような本発明の仕組みを用いれば、複数の同一機能を持った電化製品を１つの端末装置で一斉に操作または情報提供（情報表示）させることも可能となる。
【０１１１】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【０１１２】
１００  冷蔵庫
１０１  貯蔵室
１０２  ドア
１０３  時刻通知部
１０４  温度センサ部
１０５  電力計測部
１０６  照明部
１０７  照明制御部
１０８  ドア開き時間サンプリング回路部
１０９  記憶演算部
１０９ａ  提供情報生成部
１０９ｂ  情報記憶部
１１０  冷蔵庫側入力部
１１１  冷蔵庫側出力部
１１２  温度調節部
１１３  ロック制御部
２００  端末装置
２０１  表示部
２０２  端末側入力部
２０３  端末側出力部
２０４  制御部
２０４ａ  命令信号生成部
２０４ｂ  情報記憶部
２０５  端末側情報提供部
【図１】
2014052145.tif 000003
【図２】
2014052145.tif 000004
【図３】
2014052145.tif 000005
【図４】
2014052145.tif 000006
【図５】
2014052145.tif 000007
【図６】
2014052145.tif 000008
【図７】
2014052145.tif 000009
【図８】
2014052145.tif 000010
【図９】
2014052145.tif 000011